(57)【特許請求の範囲】
【請求項１】
無線通信システムにおける制御チャネルを割り当てる方法であって、
前記方法は、
局所領域または分散領域のうちの１つにｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当てることと、
前記割り当てられたｅ−ＰＤＣＣＨを介してスケジューリング割当を伝送することと
を含み、
前記ｅ−ＰＤＣＣＨは、少なくとも１つのｅ−ＣＣＥ（ｅｎｈａｎｃｅｄ  ｃｏｎｔｒｏｌ  ｃｈａｎｎｅｌ  ｅｌｅｍｅｎｔ）の集合を利用して割り当てられ、
各ｅ−ＣＣＥは、複数のｅ−ＲＥＧ（ｅｎｈａｎｃｅｄ  ｒｅｓｏｕｒｃｅ  ｅｌｅｍｅｎｔ  ｇｒｏｕｐ）を含み、
前記局所領域は、前記ｅ−ＰＤＣＣＨが１つのＰＲＢ（ｐｈｙｓｉｃａｌ  ｒｅｓｏｕｒｃｅ  ｂｌｏｃｋ）または１つのＰＲＢ対にのみ割り当てられる領域であり、
前記分散領域は、前記ｅ−ＰＤＣＣＨが複数のＰＲＢまたは複数のＰＲＢ対に割り当てられる領域であり、
前記ｅ−ＰＤＣＣＨは、最高の集合レベルを有するｅ−ＰＤＣＣＨフォーマットにおいて前記分散領域にのみ割り当てられ、
前記最高の集合レベルを有する前記ｅ−ＰＤＣＣＨフォーマットは、ｅ−ＰＤＣＣＨフォーマット４に対応する、方法。
【請求項２】
前記局所領域は、ｅ−ＰＤＣＣＨ集合領域に与えられたＮ個のｅ−ＰＤＣＣＨアンテナポートのうち一部のｅ−ＰＤＣＣＨアンテナポートが使用される領域であり、
前記分散領域は、前記Ｎ個のｅ−ＰＤＣＣＨアンテナポートの全てが使用される領域である、請求項１に記載の方法。
【請求項３】
前記局所領域は、ＣＣＥ（ｃｏｎｔｒｏｌ  ｃｈａｎｎｅｌ  ｅｌｅｍｅｎｔ）／ｅ−ＣＣＥ（ｅｎｈａｎｃｅｄ  ＣＣＥ）が１つのＲＢまたは１つのＲＢ対に対して構成またはマッピングされる領域であり、
前記分散領域は、前記ＣＣＥ／ｅ−ＣＣＥが分割されて複数のＲＢに対して構成またはマッピングされる領域である、請求項１に記載の方法。
【請求項４】
前記局所領域は、前記ｅ−ＰＤＣＣＨの探索領域が連続するＲＢまたは連続するＲＢ対に対して構成またはマッピングされる領域であり、
前記分散領域は、前記ｅ−ＰＤＣＣＨの探索領域が分散されるＲＢまたは分散されるＲＢ対に対して構成またはマッピングされる領域である、請求項１に記載の方法。
【請求項５】
前記局所領域は、複数のＵＥのｅ−ＰＤＣＣＨがインターリービングされずに割り当てられる領域であり、
前記分散領域は、前記複数のＵＥのｅ−ＰＤＣＣＨがインターリービングされて割り当てられる領域である、請求項１に記載の方法。
【請求項６】
前記スケジューリング割当は、前記分散領域に割り当てられた前記ｅ−ＰＤＣＣＨのＣＳＳ（ｃｏｍｍｏｎ  ｓｅａｒｃｈ  ｓｐａｃｅ）を介して伝送される、請求項１に記載の方法。
【請求項７】
前記スケジューリング割当は、共通ＲＮＴＩ（ｒａｄｉｏ  ｎｅｔｗｏｒｋ  ｔｅｍｐｏｒａｒｙ  ｉｄｅｎｔｉｔｙ）を備える、請求項６に記載の方法。
【請求項８】
前記分散領域に割り当てられた前記ｅ−ＰＤＣＣＨを介して伝送される前記スケジューリング割当は、ＤＣＩ（ｄｏｗｎｌｉｎｋ  ｃｏｎｔｒｏｌ  ｉｎｆｏｒｍａｔｉｏｎ）フォーマット１Ａである、請求項６に記載の方法。
【請求項９】
無線通信システムにおける制御チャネルを割り当てる基地局であって、
前記基地局は、
無線信号を伝送または受信するＲＦ（ｒａｄｉｏ  ｆｒｅｑｕｅｎｃｙ）部と、
前記ＲＦ部と接続されるプロセッサと
を備え、
前記プロセッサは、
局所領域または分散領域のうちの１つにｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当てることと、
前記割り当てられたｅ−ＰＤＣＣＨを介してスケジューリング割当を伝送することと
を実行するように構成されており、
前記ｅ−ＰＤＣＣＨは、少なくとも１つのｅ−ＣＣＥ（ｅｎｈａｎｃｅｄ  ｃｏｎｔｒｏｌ  ｃｈａｎｎｅｌ  ｅｌｅｍｅｎｔ）の集合を利用して割り当てられ、
各ｅ−ＣＣＥは、複数のｅ−ＲＥＧ（ｅｎｈａｎｃｅｄ  ｒｅｓｏｕｒｃｅ  ｅｌｅｍｅｎｔ  ｇｒｏｕｐ）を含み、
前記局所領域は、前記ｅ−ＰＤＣＣＨが１つのＰＲＢ（ｐｈｙｓｉｃａｌ  ｒｅｓｏｕｒｃｅ  ｂｌｏｃｋ）または１つのＰＲＢ対にのみ割り当てられる領域であり、
前記分散領域は、前記ｅ−ＰＤＣＣＨが複数のＰＲＢまたは複数のＰＲＢ対に割り当てられる領域であり、
前記ｅ−ＰＤＣＣＨは、最高の集合レベルを有するｅ−ＰＤＣＣＨフォーマットにおいて前記分散領域にのみ割り当てられ、
前記最高の集合レベルを有する前記ｅ−ＰＤＣＣＨフォーマットは、ｅ−ＰＤＣＣＨフォーマット４に対応する、基地局。
【発明の詳細な説明】
【技術分野】
【０００１】
本発明は、無線通信に関し、より詳細には、無線通信システムにおける制御チャネルを割り当てる方法及び装置に関する。
【背景技術】
【０００２】
最近活発に研究されている次世代マルチメディア無線通信システムは、初期の音声中心のサービスを外れて、映像、無線データなどの様々な情報を処理して伝送できるシステムが求められている。現在、３世帯無線通信システムに続いて開発されている４世帯無線通信は、下向きリンク１Ｇｂｐｓ（ｇｉｇａｂｉｔｓ  ｐｅｒ  ｓｅｃｏｎｄ）及び上向きリンク５００Ｍｂｐｓ（ｍｅｇａｂｉｔｓ  ｐｅｒ  ｓｅｃｏｎｄ）の高速のデータサービスを支援することを目標とする。無線通信システムの目的は、複数のユーザが位置と移動性に関係なく信頼できる（ｒｅｌｉａｂｌｅ）通信が可能なようにすることである。ところが、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェージング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）、または端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために様々な技術が開発されている。
【０００３】
一方、Ｍ２Ｍ（ｍａｃｈｉｎｅ−ｔｏ−ｍａｃｈｉｎｅ）通信の導入、スマートフォン、タブレットＰＣなどの様々なデバイスの出現及び補給により、セルラー（ｃｅｌｌｕａｒ）網に対するデータ要求量が速く増加している。高いデータ要求量を満たすために様々な技術が開発されている。より多くの周波数帯域を効率的に使用するための搬送波集合（ＣＡ；ｃａｒｒｉｅｒ  ａｇｇｒｅｇａｔｉｏｎ）技術、認知無線（ＣＲ；ｃｏｇｎｉｔｉｖｅ  ｒａｄｉｏ）技術などが研究中にある。また、限定された周波数帯域内でデータ容量を高めるための多重アンテナ技術、多重基地局協力技術などが研究されている。すなわち、つまり、無線通信システムは、ユーザ周辺に接続できるノード（ｎｏｄｅ）の密度が高まる方向に進化するはずであろう。ノードの密度が高い無線通信システムは、ノード間の協力によって性能が一層向上し得る。すなわち、各ノードが互いに協力する無線通信システムは、各ノードが独立的な基地局（ＢＳ；ｂａｓｅ  ｓｔａｔｉｏｎ）、ＡＢＳ（ａｄｖａｎｃｅｄ  ＢＳ）、Ｎｏｄｅ−Ｂ（ＮＢ）、ｅＮｏｄｅ−Ｂ（ｅＮＢ）、ＡＰ（ａｃｃｅｓｓ  ｐｏｉｎｔ）等で動作する無線通信システムより最も優れた性能を有する。
【０００４】
無線通信システムの性能改善のために、セル内の複数のノードを備えた分散多重ノードシステム（ＤＭＮＳ；ｄｉｓｔｒｉｂｕｔｅｄ  ｍｕｌｔｉ  ｎｏｄｅ  ｓｙｓｔｅｍ）が適用され得る。多重ノードシステムは、分散アンテナシステム（ＤＡＳ；ｄｉｓｔｒｉｂｕｔｅｄ  ａｎｔｅｎｎａ  ｓｙｓｔｅｍ）、無線遠隔装備（ＲＲＨ；ｒａｄｉｏ  ｒｅｍｏｔｅ  ｈｅａｄ）などを含むことができる。また、既に開発されたり今後適用が可能な様々なＭＩＭＯ（ｍｕｌｔｉｐｌｅ−ｉｎｐｕｔ  ｍｕｌｔｉｐｌｅ−ｏｕｔｐｕｔ）技法と協力通信技法を分散多重ノードシステムに適用するための標準化作業が進行中である。多重ノードシステムによってリンク品質（ｌｉｎｋ  ｑｕａｌｉｔｙ）の改善が予想されるが、様々なＭＩＭＯ技法及び協力通信技法を多重ノードシステムに適用するために新たな制御チャネルの導入が求められる。
【０００５】
多重ノードシステムのための新たな制御チャネルを効率的に割り当てるための方法が求められる。
【発明の概要】
【発明が解決しようとする課題】
【０００６】
本発明の技術的課題は、無線通信システムにおける制御チャネルを割り当てる方法及び装置を提供することにある。本発明は、無線通信システムにおいて、ＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を局所領域（ｌｏｃａｌｉｚｅｄ  ｒｅｇｉｏｎ）及び分散領域（ｄｉｓｔｒｉｂｕｔｅｄ  ｒｅｇｉｏｎ）で構成する方法を提案する。
【課題を解決するための手段】
【０００７】
一態様において、無線通信システムにおける制御チャネルを割り当てる方法が提供される。上記方法は、ＰＤＳＣＨ（ｐｈｙｓｉｃａｌ  ｄｏｗｎｌｉｎｋ  ｓｈａｒｅｄ  ｃｈａｎｎｅｌ）領域内の局所領域（ｌｏｃａｌｉｚｅｄ  ｒｅｇｉｏｎ）にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、前記ＰＤＳＣＨ領域内の分散領域（ｄｉｓｔｒｉｂｕｔｅｄ  ｒｅｇｉｏｎ）に前記ｅ−ＰＤＣＣＨを割り当て、前記割り当てられたｅ−ＰＤＣＣＨを介してスケジューリング割当（ｓｃｈｅｄｕｌｉｎｇ  ａｓｓｉｇｎｍｅｎｔ）を伝送することを含む。
【０００８】
他の態様において、無線通信システムにおける制御チャネルを割り当てる基地局が提供される。前記基地局は、無線信号を伝送または受信するＲＦ（ｒａｄｉｏ  ｆｒｅｑｕｅｎｃｙ）部及び前記ＲＦ部と接続されるプロセッサを備え、前記プロセッサは、ＰＤＳＣＨ（ｐｈｙｓｉｃａｌ  ｄｏｗｎｌｉｎｋ  ｓｈａｒｅｄ  ｃｈａｎｎｅｌ）領域内の局所領域（ｌｏｃａｌｉｚｅｄ  ｒｅｇｉｏｎ）にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、前記ＰＤＳＣＨ領域内の分散領域（ｄｉｓｔｒｉｂｕｔｅｄ  ｒｅｇｉｏｎ）に前記ｅ−ＰＤＣＣＨを割り当て、前記割り当てられたｅ−ＰＤＣＣＨを介してスケジューリング割当（ｓｃｈｅｄｕｌｉｎｇ  ａｓｓｉｇｎｍｅｎｔ）を伝送するように構成されることを特徴とする。
【発明の効果】
【０００９】
ＥＰＤＣＣＨを効率的に構成することができる。
【図面の簡単な説明】
【００１０】
【図１】図１は、無線通信システムである。
【図２】図２は、３ＧＰＰ  ＬＴＥにおいて無線フレーム（ｒａｄｉｏｆｒａｍｅ）の構造を示す。
【図３】図３は、１つの下向きリンクスロットに対する資源グリッド（ｒｅｓｏｕｒｃｅ  ｇｒｉｄ）の一例を示す。
【図４】図４は、下向きリンクサブフレームの構造を示す。
【図５】図５は、上向きリンクサブフレームの構造を示す。
【図６】図６は、多重ノードシステムの一例を示す。
【図７】図７は、ＰＤＣＣＨが資源にマッピングされる過程の一例を示す。
【図８】図８は、ＰＣＦＩＣＨ、ＰＤＣＣＨ、及びＰＤＳＣＨがサブフレームにマッピングされる一例を示す。
【図９】図９は、ｅ−ＰＤＣＣＨを介した資源割当の一例を示す。
【図１０】図１０は、ＲＢに割り当てられるＲ−ＰＤＣＣＨの一例を示す。
【図１１】図１１は、ＲＢに割り当てられるｅ−ＰＤＣＣＨの一例を示す。
【図１２】図１２は、ＲＢに割り当てられるｅ−ＰＤＣＣＨのさらに他の例を示す。
【図１３】図１３は、ＲＢに割り当てられるｅ−ＰＤＣＣＨのさらに他の例を示す。
【図１４】図１４は、本発明の一実施形態に係るｅ−ＰＤＣＣＨ構成方法の一例を示す。
【図１５】図１５は、本発明の一実施形態に係るｅ−ＰＤＣＣＨ構成方法のさらに他の例を示す。
【図１６】図１６は、本発明の一実施形態に係るｅ−ＰＤＣＣＨの割当方法の一例を示す。
【図１７】図１７は、本発明の実施形態が実現される無線通信システムのブロック図である。
【発明を実施するための形態】
【００１１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線通信システムに使用され得る。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現され得る。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で実現され得る。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ｗｉＭＡＸ）、ＩＥＥＥ８０２−２０、Ｅ−ＵＴＲＡ（ｅｖｏｌｖｅｄ  ＵＴＲＡ）などのような無線技術で実現され得る。ＩＥＥＥ８０２．１６ｍは、ＩＥＥＥ８０２．１６ｅの進化で、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。
【００１２】
説明を明確にするために、ＬＴＥ−Ａを中心として記述するが、本発明の技術的思想がこれに制限されるものではない。
【００１３】
図１は、無線通信システムである。
【００１４】
無線通信システム１０は、少なくとも１つの基地局（１１；ｂａｓｅ  ｓｔａｔｉｏｎ、ＢＳ）を備える。各基地局１１は、特定の地理的領域（一般的にセルという）１５ａ、１５ｂ、１５ｃに対して通信サービスを提供する。セルはさらに複数の領域（セクターという）に分けられることができる。端末（１２；ｕｓｅｒ  ｅｑｕｉｐｍｅｎｔ、ＵＥ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語と呼ばれることができる。基地局１１は一般的に、端末１２と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語と呼ばれることができる。
【００１５】
端末は通常、１つのセルに属するが、端末が属したセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準として相対的に決定される。
【００１６】
この技術は、下向きリンク（ｄｏｗｎｌｉｎｋ）または上向きリンク（ｕｐｌｉｎｋ）に使用され得る。一般に下向きリンクは、基地局１１から端末１２への通信を意味し、上向きリンクは、端末１２から基地局１１への通信を意味する。下向きリンクにおいて送信機は基地局１１の一部分であり、受信機は端末１２の一部分でありうる。上向きリンクにおいて送信機は端末１２の一部分であり、受信機は基地局１１の一部分でありうる。
【００１７】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の伝送アンテナ（ｔｒａｎｓｍｉｔ  ａｎｔｅｎｎａ）と複数の受信アンテナ（ｒｅｃｅｉｖｅ  ａｎｔｅｎｎａ）とを使用する。ＭＩＳＯシステムは、複数の伝送アンテナと１つの受信アンテナとを使用する。ＳＩＳＯシステムは、１つの伝送アンテナと１つの受信アンテナとを使用する。ＳＩＭＯシステムは、１つの伝送アンテナと複数の受信アンテナとを使用する。以下において伝送アンテナは、１つの信号またはストリームを伝送するのに使用される物理的または論理的アンテナを意味し、受信アンテナは、１つの信号またはストリームを受信するのに使用される物理的または論理的アンテナを意味する。
【００１８】
図２は、３ＧＰＰ  ＬＴＥにおいて無線フレーム（ｒａｄｉｏｆｒａｍｅ）の構造を示す。
【００１９】
これは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ３６．２１１  Ｖ８．２．０（２００８−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」の５節を参照することができる。図２に示すように、無線フレームは、１０個のサブフレーム（ｓｕｂｆｒａｍｅ）で構成され、１つのサブフレームは、２個のスロット（ｓｌｏｔ）で構成される。無線フレーム内のスロットは、＃０から＃１９までスロット番号が付される。ＴＴＩ（ｔｒａｎｓｍｉｓｓｉｏｎ  ｔｉｍｅ  ｉｎｔｅｒｖａｌ）は、データ伝送のための基本スケジューリング単位である。３ＧＰＰ  ＬＴＥにおいて１つのＴＴＩは、１つのサブフレームが伝送されるのにかかる時間と同様でありうる。１つの無線フレームの長さは１０ｍｓであり、１つのサブフレームの長さは１ｍｓであり、１つのスロットの長さは０．５ｍｓでありうる。
【００２０】
１つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。ＯＦＤＭシンボルは、３ＧＰＰ  ＬＴＥが下向きリンクでＯＦＤＭＡを使用し、１つのシンボル区間（ｓｙｍｂｏｌ  ｐｅｒｉｏｄ）を表現するためのものであって、多重接続方式によって他の名称と呼ばれることができる。例えば、上向きリンク多重接続方式としてＳＣ−ＦＤＭＡが使用される場合、ＳＣ−ＦＤＭＡシンボルといえる。資源ブロック（ＲＢ；ｒｅｓｏｕｒｃｅ  ｂｌｏｃｋ）は、資源割当単位で、１つのスロットで複数の連続する副搬送波を含む。前記無線フレームの構造は一例にすぎないものである。したがって、無線フレームに含まれるサブフレームの個数やサブフレームに含まれるスロットの個数、若しくはスロットに含まれるＯＦＤＭシンボルの個数は様々に変更され得る。
【００２１】
３ＧＰＰ  ＬＴＥは、ノーマル（ｎｏｒｍａｌ）サイクリックプレフィックス（ＣＰ；ｃｙｃｌｉｃ  ｐｒｅｆｉｘ）で１つのスロットが７個のＯＦＤＭシンボルを含み、拡張（ｅｘｔｅｎｄｅｄ）ＣＰで１つのスロットが６個のＯＦＤＭシンボルを含むことと定義している。
【００２２】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、上向きリンク伝送と下向きリンク伝送とが互いに異なる周波数帯域を占めながらなされる。ＴＤＤ方式によれば、上向きリンク伝送と下向きリンク伝送とが同じ周波数帯域を占めながら互いに異なる時間になされる。ＴＤＤ方式のチャネル応答は実質的に相互的（ｒｅｃｉｐｒｏｃａｌ）である。これは、与えられた周波数領域で下向きリンクチャネル応答と上向きリンクチャネル応答とがほとんど同一であるということである。したがって、ＴＤＤに基づいた無線通信システムにおいて下向きリンクチャネル応答は、上向きリンクチャネル応答から得られることができるという長所がある。ＴＤＤ方式は、全体周波数帯域を上向きリンク伝送と下向きリンク伝送とに時分割するので、基地局による下向きリンク伝送と端末による上向きリンク伝送とが同時に行われ得ない。上向きリンク伝送と下向きリンク伝送とがサブフレーム単位に区分されるＴＤＤシステムにおいて、上向きリンク伝送と下向きリンク伝送とは互いに異なるサブフレームで行われる。
【００２３】
図３は、１つの下向きリンクスロットに対する資源グリッド（ｒｅｓｏｕｒｃｅ  ｇｒｉｄ）の一例を示す。
【００２４】
下向きリンクスロットは、時間領域で複数のＯＦＤＭシンボルを含み、周波数領域でＮＲＢ個の資源ブロックを含む。下向きリンクスロットに含まれる資源ブロックの数であるＮＲＢは、セルで設定される下向きリンク伝送帯域幅（ｂａｎｄｗｉｄｔｈ）に従属する。例えば、ＬＴＥシステムにおいてＮＲＢは、６〜１１０のうち、いずれか１つでありうる。１つの資源ブロックは、周波数領域で複数の副搬送波を含む。上向きリンクスロットの構造も前記下向きリンクスロットの構造と同一でありうる。
【００２５】
資源グリッド上の各要素（ｅｌｅｍｅｎｔ）を資源要素（ｒｅｓｏｕｒｃｅ  ｅｌｅｍｅｎｔ）という。資源グリッド上の資源要素は、スロット内のインデックス対（ｐａｉｒ）ｋ、ｌにより識別され得る。ここで、ｋ（ｋ＝０、．．．、ＮＲＢ×１２−１）は、周波数領域内の副搬送波インデックスであり、ｌ（ｌ＝０、．．．、６）は、時間領域内のＯＦＤＭシンボルインデックスである。
【００２６】
ここで、１つの資源ブロックは、時間領域で７ＯＦＤＭシンボル、周波数領域で１２副搬送波で構成される７×１２資源要素を含むことを例示的に記述するが、資源ブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）等によって様々に変更され得る。例えば、ノーマルＣＰの場合、ＯＦＤＭシンボルの数は７であり、拡張されたＣＰの場合、ＯＦＤＭシンボルの数は６である。１つのＯＦＤＭシンボルで副搬送波の数は、１２８、２５６、５１２、１０２４、１５３６、及び２０４８のうち１つを選定して使用することができる。
【００２７】
図４は、下向きリンクサブフレームの構造を示す。
【００２８】
下向きリンクサブフレームは、時間領域で２個のスロットを含み、各スロットは、ノーマルＣＰで７個のＯＦＤＭシンボルを含む。サブフレーム内の１番目のスロットの先行する最大３ＯＦＤＭシンボル等（１．４Ｍｈｚ帯域幅に対しては最大４ＯＦＤＭシンボル等）の制御チャネル等が割り当てられる制御領域（ｃｏｎｔｒｏｌ  ｒｅｇｉｏｎ）であり、残りのＯＦＤＭシンボル等は、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域となる。
【００２９】
ＰＤＣＣＨは、ＤＬ−ＳＣＨ（ｄｏｗｎｌｉｎｋ−ｓｈａｒｅｄ  ｃｈａｎｎｅｌ）の資源割当及び伝送フォーマット、ＵＬ−ＳＣＨ（ｕｐｌｉｎｋ  ｓｈａｒｅｄ  ｃｈａｎｎｅｌ）の資源割当情報、ＰＣＨ上のページング情報、ＤＬ−ＳＣＨ上のシステム情報、ＰＤＳＣＨ上に伝送されるランダムアクセス応答のような上位階層制御メッセージの資源割当、任意のＵＥグループ内の個別ＵＥに対する伝送パワー制御命令の集合、及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で伝送され得るし、端末は、複数のＰＤＣＣＨをモニタリングすることができる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に伝送される。ＣＣＥは、無線チャネルの状態に応じる符号化率をＰＤＣＣＨに提供するために使用される論理的割当単位である。ＣＣＥは、それぞれ４個の資源要素を含む９個の資源要素グループ（ＲＥＧ；ｒｅｓｏｕｒｃｅ  ｅｌｅｍｅｎｔ  ｇｒｏｕｐ）に対応する。４個のＱＰＳＫ（ｑｕａｄｒａｔｕｒｅ  ｐｈａｓｅ  ｓｈｉｆｔ  ｋｅｙｉｎｇ）シンボルが各ＲＥＧにマッピングされる。参照信号（ＲＳ；ｒｅｆｅｒｅｎｃｅ  ｓｉｇｎａｌ）が占める資源要素はＲＥＧ内に含まれず、与えられたＯＦＤＭシンボル内でＲＥＧの総数は、セル特定参照信号（ＣＲＳ；ｃｅｌｌ−ｓｐｅｃｉｆｉｃ  ＲＳ）が存在するか否かによって決定されることができる。ＣＣＥの数とＣＣＥ等により提供される符号化率の関連関係によってＰＤＣＣＨのフォーマット及び可能なＰＤＣＣＨのビット数が決定される。特定ＰＤＣＣＨの伝送のために使用されるＣＣＥの個数は、チャネル状況に応じて基地局により決定されることができる。例えば、良いチャネル状態を有した端末に対するＰＤＣＣＨは、１つのＣＣＥのみを使用することができる。しかし、良くないチャネル状態を有した端末に対するＰＤＣＣＨは、十分な頑健性（ｒｏｂｕｓｔｎｅｓｓ）を得るために８個のＣＣＥが必要なこともある。また、ＰＤＣＣＨの伝送電力は、チャネル状況に合わせて調整されることができる。表１は、支援されるＰＤＣＣＨフォーマット及び各ＰＤＣＣＨフォーマットに対応するＣＣＥの個数などを表す。
【００３０】
【表１】
0005905590.tif 000002
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途に応じて固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がスクランブルまたはマスキングされる。特定端末のためのＰＤＣＣＨであれば、端末の固有識別子、例えば、Ｃ−ＲＮＴＩ（ｃｅｌｌ−ＲＮＴＩ）がＣＲＣにスクランブルされ得る。若しくは、ページングメッセージのためのＰＤＣＣＨであれば、ページング指示識別子、例えば、Ｐ−ＲＮＴＩ（ｐａｇｉｎｇ−ＲＮＴＩ）がＣＲＣにスクランブルされ得る。システム情報ブロック（ＳＩＢ；ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ−ＲＮＴＩ）がＣＲＣにスクランブルされ得る。端末のランダムアクセスプリアンブル伝送に対する応答であるランダムアクセス応答を指示するために、ＲＡ−ＲＮＴＩ（ｒａｎｄｏｍ  ａｃｃｅｓｓ−ＲＮＴＩ）がＣＲＣにスクランブルされ得る。
【００３１】
図５は、上向きリンクサブフレームの構造を示す。
【００３２】
上向きリンクサブフレームは、周波数領域において制御領域とデータ領域とに分けられることができる。前記制御領域は、上向きリンク制御情報が伝送されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。前記データ領域は、データが伝送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、端末は、ＰＵＳＣＨとＰＵＣＣＨの同時伝送を支援することができる。
【００３３】
１つの端末に対するＰＵＣＣＨは、サブフレームで資源ブロック対（ＲＢ  ｐａｉｒ）で割り当てられる。資源ブロック対に属する資源ブロックは、第１のスロットと第２のスロットの各々で互いに異なる副搬送波を占める。ＰＵＣＣＨに割り当てられる資源ブロック対に属する資源ブロックが占める周波数はスロット境界（ｓｌｏｔ  ｂｏｕｎｄａｒｙ）を基準として変更される。これをＰＵＣＣＨに割り当てられるＲＢ対がスロット境界で周波数がホッピング（ｆｒｅｑｕｅｎｃｙ−ｈｏｐｐｅｄ）されたという。端末が上向きリンク制御情報を時間によって互いに異なる副搬送波を介して伝送することにより、周波数ダイバシティ利得を得ることができる。ｍは、サブフレーム内でＰＵＣＣＨに割り当てられた資源ブロック対の論理的な周波数領域位置を示す位置インデックスである。
【００３４】
ＰＵＣＣＨ上に伝送される上向きリンク制御情報には、ＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、下向きリンクチャネル状態を示すＣＱＩ（ｃｈａｎｎｅｌ  ｑｕａｌｉｔｙ  ｉｎｄｉｃａｔｏｒ）、上向きリンク無線資源割当要請のＳＲ（ｓｃｈｅｄｕｌｉｎｇ  ｒｅｑｕｅｓｔ）などがある。
【００３５】
ＰＵＳＣＨは、伝送チャネル（ｔｒａｎｓｐｏｒｔ  ｃｈａｎｎｅｌ）であるＵＬ−ＳＣＨにマッピングされる。ＰＵＳＣＨ上に伝送される上向きリンクデータは、ＴＴＩの間伝送されるＵＬ−ＳＣＨのためのデータブロックである伝送ブロック（ｔｒａｎｓｐｏｒｔ  ｂｌｏｃｋ）でありうる。前記伝送ブロックは、ユーザ情報でありうる。若しくは、上向きリンクデータは、多重化された（ｍｕｌｔｉｐｌｅｘｅｄ）データでありうる。多重化されたデータは、ＵＬ−ＳＣＨのための伝送ブロックと制御情報とが多重化されたものでありうる。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがありうる。若しくは、上向きリンクデータは制御情報だけで構成されることもできる。
【００３６】
無線通信システムの性能を向上させるために、ユーザ周辺に接続できるノード（ｎｏｄｅ）の密度を高める方向に技術が進化している。ノードの密度が高い無線通信システムは、ノード間の協力によって性能が一層向上し得る。
【００３７】
図６は、多重ノードシステムの一例を示す。
【００３８】
図６に示すように、多重ノードシステム２０は、１つの基地局２１と複数のノード２５−１、２５−２、２５−３、２５−４、２５−５とで構成されることができる。複数のノード２５−１、２５−２、２５−３、２５−４、２５−５は、１つの基地局２１により管理されることができる。すなわち、複数のノード２５−１、２５−２、２５−３、２５−４、２５−５は、１つのセルの一部のように動作をする。このとき、各ノード２５−１、２５−２、２５−３、２５−４、２５−５は、別のノードＩＤ（ｉｄｅｎｔｉｆｉｅｒ）を割り当てられることができ、若しくは、別のノードＩＤ無しでセル内の一部アンテナ集団のように動作することができる。このような場合、図６の多重ノードシステム２０は、１つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）とみなすことができる。
【００３９】
または、複数のノード２５−１、２５−２、２５−３、２５−４、２５−５は、個別的なセルＩＤを有して端末のスケジューリング及びハンドオーバー（ＨＯ；ｈａｎｄｏｖｅｒ）を行うことができる。このような場合、図６の多重ノードシステム２０は、多重セルシステムとみなすことができる。基地局２１は、マクロセル（ｍａｃｒｏ  ｃｅｌｌ）でありうるし、各ノードは、マクロセルのセルカバレッジ（ｃｅｌｌ  ｃｏｖｅｒａｇｅ）より小さなセルカバレッジを有するフェムトセル（ｆｅｍｔｏ  ｃｅｌｌ）またはピコセル（ｐｉｃｏｃｅｌｌ）でありうる。このように、複数のセルがカバレッジによってオーバーレイ（ｏｖｅｒｌａｙ）されて構成される場合、複数階層ネットワーク（ｍｕｌｔｉ−ｔｉｅｒｎｅｔｗｏｒｋ）といえる。
【００４０】
図６において、各ノード２５−１、２５−２、２５−３、２５−４、２５−５は、基地局、Ｎｏｄｅ−Ｂ、ｅＮｏｄｅ−Ｂ、ピコセルｅＮｂ（ｐｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎまたはｒｅｐｅａｔｅｒ）、分散アンテナ（ｄｉｓｔｒｉｂｕｔｅｄ  ａｎｔｅｎｎａ）のうち、いずれか１つになることができる。１つのノードには、少なくとも１つのアンテナが設置され得る。また、ノードは、ポイント（ｐｏｉｎｔ）と呼ばれることができる。以下の明細書においてノードは、ＤＭＮＳから所定の間隔以上離れたアンテナグループを意味する。すなわち、以下の明細書において各ノードは、物理的にＲＲＨを意味すると仮定する。しかし、本発明はこれに制限されず、ノードは、物理的間隔にかかわらず、任意のアンテナグループに定義されることができる。例えば、複数の交差偏光されたアンテナ（ｃｒｏｓｓ  ｐｏｌａｒｉｚｅｄ  ａｎｔｅｎｎａ）で構成された基地局を、水平偏光されたアンテナ（ｈｏｒｉｚｏｎｔａｌ  ｐｏｌａｒｉｚｅｄ  ａｎｔｅｎｎａ）で構成されたノードと垂直偏光されたアンテナ（ｖｅｒｔｉｃａｌ  ｐｏｌａｒｉｚｅｄ  ａｎｔｅｎｎａ）で構成されたノードとからなっているとみなし、本発明を適用することができる。また、本発明は、各ノードが、セルカバレッジがマクロセルに比べて小さいピコセルまたはフェムトセルである場合、すなわち、多重セルシステムでも適用され得る。以下の説明においてアンテナは、物理的なアンテナのみならず、アンテナポート、仮想（ｖｉｒｔｕａｌ）アンテナ、アンテナグループなどに代替され得る。
【００４１】
図７は、ＰＤＣＣＨが資源にマッピングされる過程の一例を示す。
【００４２】
ステップＳ１００でＰＤＣＣＨビットが生成される。ＰＤＣＣＨビットは、数式１のように表現されることができる。
【００４３】
【数１】
0005905590.tif 000003
Ｍｂｉｔ（ｉ）は、１つのサブフレーム内からＰＤＣＣＨ番号ｉ上に伝送されるビットの個数である。ｎＰＤＣＣＨは、サブフレーム内で伝送されるＰＤＣＣＨの個数である。
【００４４】
ステップＳ１１０で生成されたＰＤＣＣＨビットにスクランブルシーケンス（ｓｃｒａｍｂｌｉｎｇ  ｓｅｑｕｅｎｃｅ）が追加される。スクランブルシーケンスが追加されたＰＤＣＣＨビットは、数式２のように表すことができる。
【００４５】
【数２】
0005905590.tif 000004
ステップＳ１２０においてスクランブルシーケンスが追加されたＰＤＣＣＨビットに対してＱＰＳＫ変調が行われる。ＱＰＳＫ変調により生成された変調シンボル等は、ｄ（０）、．．．、ｄ（Ｍｓｙｍｂ−１）に表すことができる。
【００４６】
ステップＳ１３０において変調シンボル等に対してレイヤマッピング（ｌａｙｅｒ  ｍａｐｐｉｎｇ）及びプリコーディング（ｐｒｅｃｏｄｉｎｇ）が行われる。レイヤマッピング及びプリコーディングが行われた変調シンボルを数式３のように表すことができる。
【００４７】
【数３】
0005905590.tif 000005
ステップＳ１４０においてレイヤマッピング及びプリコーディングが行われた変調シンボル等が資源要素にマッピングされる。数式３のｙ（ｉ）がアンテナポートｐ上の資源にマッピングされる。変調シンボル等は、サブブロックインターリービング（ｓｕｂ−ｂｌｏｃｋ  ｉｎｔｅｒｌｅａｖｉｎｇ）後、時間と周波数の順にＲＥＧにマッピングされる。ＰＤＣＣＨは、ＰＢＣＨ（ｐｈｙｓｉｃａｌ  ｂｒｏａｄｃａｓｔ  ｃｈａｎｎｅｌ）が伝送されるアンテナポートと同じアンテナポート集合上に伝送される。
【００４８】
以下、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）について説明する。
【００４９】
図８は、ＰＣＦＩＣＨ、ＰＤＣＣＨ、及びＰＤＳＣＨがサブフレームにマッピングされる一例を示す。
【００５０】
３ＧＰＰ  ＬＴＥは、端末を制御する下向きリンク制御信号を伝送するためにＰＤＣＣＨを割り当てる。複数の端末のＰＤＣＣＨがマッピングされる領域をＰＤＣＣＨ領域または制御領域といえる。ＰＣＦＩＣＨは、サブフレーム内でＰＤＣＣＨの割当のために使用されるＯＦＤＭシンボルの個数に関する情報を運ぶ。ＰＤＣＣＨが割り当てられるＯＦＤＭシンボルの個数に関する情報を制御フォーマット指示子（ＣＦＩ；ｃｏｎｔｒｏｌ  ｆｏｒｍａｔ  ｉｎｄｉｃａｔｏｒ）といえる。セル内の全ての端末は、ＰＤＣＣＨが割り当てられる領域を探索しなければならず、これにより、ＣＩＦは、セル特定（ｃｅｌｌ−ｓｐｅｃｉｆｉｃ）の値に設定されることができる。一般に、ＰＤＣＣＨが割り当てられる制御領域は、下向きリンクサブフレームの最も前方のＯＦＤＭシンボルに割り当てられ、ＰＤＣＣＨは、最大３個のＯＦＤＭシンボルに割り当てられることができる。
【００５１】
図８に示すように、ＣＩＦが３に設定され、これにより、ＰＤＣＣＨは、サブフレーム内で前から３個のＯＦＤＭシンボル内に割り当てられる。端末は、制御領域内で自分のＰＤＣＣＨを検出し、当該制御領域で検出したＰＤＣＣＨを介して自分のＰＤＳＣＨを探すことができる。
【００５２】
従来のＰＤＣＣＨは、所定領域内で伝送ダイバシティ（ｔｒａｎｓｍｉｓｓｉｏｎ  ｄｉｖｅｒｓｉｔｙ）を用いて伝送されただけであり、ビームフォーミング（ｂｅａｍｆｏｒｍｉｎｇ）、ＭＵ（ｍｕｌｔｉ  ｕｓｅｒ）−ＭＩＭＯ（ｍｕｌｔｉｐｌｅ−ｉｎｐｕｔ  ｍｕｌｔｉｐｌｅ−ｏｕｔｐｕｔ）、最適帯域選択（ｂｅｓｔ  ｂａｎｄ  ｓｅｌｅｃｔｉｏｎ）等、ＰＤＳＣＨに支援される様々な技法等は適用されない。また、システム性能の向上のために分散多重ノードシステムが導入される場合、複数のノードまたは複数のＲＲＨのセルＩＤが同じであれば、ＰＤＣＣＨの容量が足りなくなるという問題が生じ得る。これにより、既存のＰＤＣＣＨの他に、新たな制御チャネルが導入され得る。以下の説明において新しく定義される制御チャネルをｅ−ＰＤＣＣＨ（ｅｎｈａｎｃｅｄ  ＰＤＣＣＨ）という。以下の説明において、ｅ−ＰＤＣＣＨ、ｅＰＤＣＣＨ、ＥＰＤＣＣＨは混用して使用されることができる。ｅ−ＰＤＣＣＨは、ＰＤＣＣＨが割り当てられる既存の制御領域ではないデータ領域に割り当てられることができる。ｅ−ＰＤＣＣＨが定義されることにより、各端末別に各ノードに対する制御信号を伝送することができ、既存のＰＤＣＣＨ領域が足りないという問題を解決することができる。
【００５３】
ＰＤＣＣＨが割り当てられる制御領域がＰＣＦＩＣＨによって指示されることと同様に、ｅ−ＰＤＣＣＨが割り当てられる領域を指示する新たなチャネルが定義され得る。すなわち、ｅ−ＰＤＣＣＨが割り当てられる領域を指示するｅ−ＰＣＦＩＣＨ（ｅｎｈａｎｃｅｄ  ＰＣＦＩＣＨ）が新しく定義され得る。ｅ−ＰＣＦＩＣＨは、ｅ−ＰＤＣＣＨを検出するために必要な一部または全ての情報を運ぶことができる。ｅ−ＰＤＣＣＨは、既存の制御領域内の共通探索領域（ＣＳＳ；ｃｏｍｍｏｎ  ｓｅａｒｃｈ  ｓｐａｃｅ）に割り当てられるか、データ領域に割り当てられることができる。
【００５４】
図９は、ｅ−ＰＤＣＣＨを介した資源割当の一例を示す。
【００５５】
ｅ−ＰＤＣＣＨは、既存の制御領域でないデータ領域の一部に割り当てられることができる。ｅ−ＰＤＣＣＨは、既存のレガシ端末には提供されず、３ＧＰＰ  ＬＴＥ  ｒｅｌ−１１を支援する端末（以下、ｒｅｌ−１１端末）が探索することができる。ｒｅｌ−１１端末は、自分のｅ−ＰＤＣＣＨ検出のためのブラインドデコーディング（ｂｌｉｎｄ  ｄｅｃｏｄｉｎｇ）を行う。ｅ−ＰＤＣＣＨを検出するための最小限の領域情報は、新しく定義されるｅ−ＰＣＦＩＣＨまたは既存のＰＤＣＣＨを介して伝送されることができる。データ領域に割り当てられたｅ−ＰＤＣＣＨによってＰＤＳＣＨがスケジューリングされ得る。基地局は、スケジューリングされたＰＤＳＣＨを介して各端末に下向きリンクデータを伝送することができる。図９では、ｅ−ＰＤＣＣＨが同じサブフレームにＰＤＳＣＨをスケジューリングすることを例示としているが、ｅ−ＰＤＣＣＨは、他のサブフレームに割り当てられたＰＤＳＣＨをスケジューリングすることができる。ただし、各ノードに接続した端末の数が増加すれば、ｅ−ＰＤＣＣＨがデータ領域内で占める部分が大きくなる。これにより、端末が行わなければならないブラインドデコーディングの数も増加するようになり、複雑度が高まり得るという短所が存在する。
【００５６】
一方、最近に中継局（ＲＳ；ｒｅｌａｙ  ｓｔａｔｉｏｎ）を含む無線通信システムが開発されている。中継局は、セルカバレッジを拡張させ、伝送性能を向上させる役割をする。基地局が、基地局のカバレッジ境界に位置した端末を中継局を介してサービスすることにより、セルカバレッジを拡張させる効果を得ることができる。また、中継局が基地局と端末との間で信号の伝送信頼性を向上させることにより、伝送容量を増加させることができる。端末が基地局のカバレッジ内にあるとしても陰影地域に位置した場合に中継局を利用することもできる。基地局と中継器との間の上向きリンク及び下向きリンクは、バックホールリンク（ｂａｃｋｈａｕｌ  ｌｉｎｋ）であり、基地局と端末または中継器と端末との間の上向きリンク及び下向きリンクは、アクセスリンク（ａｃｃｅｓｓ  ｌｉｎｋ）である。以下、バックホールリンクを介して伝送される信号をバックホール信号といい、アクセスリンクを介して伝送される信号をアクセス信号という。
【００５７】
中継局を含む無線通信システムで中継領域（ｒｅｌａｙ  ｚｏｎｅ）が定義され得る。中継領域は、基地局が伝送する下向きリンクサブフレーム内に中継局のための制御チャネル（以下、Ｒ−ＰＤＣＣＨ）または中継局のためのデータチャネル（以下、Ｒ−ＰＤＳＣＨ）の伝送がなされる区間を意味する。すなわち、下向きリンクサブフレーム内にバックホール（ｂａｃｋｈａｕｌ）伝送がなされる区間である。基地局と中継局との間の伝送は、スロット内の中継領域に制限される。基地局と中継局との間の伝送のためのＰＤＳＣＨは、中継局が導入されなかったときのＰＤＳＣＨと同様に処理され、資源要素にマッピングされる。ただし、当該ＰＤＳＣＨは、中継領域内の資源要素にのみマッピングされ、ＲＢ対の第１のスロットにＲ−ＰＤＣＣＨが割り当てられる場合に、当該ＰＤＳＣＨは、前記ＲＢ対の第１のスロットにはマッピングされない。
【００５８】
Ｒ−ＰＤＣＣＨは、中継局のためのＤＣＩを運ぶ。Ｒ−ＰＤＣＣＨは、第１のスロットの４番目のＯＦＤＭシンボルから最後のＯＦＤＭシンボルまで、かつ、第２のスロットの１番目のＯＦＤＭシンボルから最後のＯＦＤＭシンボルまで割り当てられることができる。周波数領域において複数のＶＲＢ（ｖｉｒｔｕａｌ  ＲＢ）が、Ｒ−ＰＤＣＣＨが割り当てられ得るＶＲＢに上位階層によって設定されることができる。Ｒ−ＰＤＣＣＨは、与えられたＰＲＢ（ｐｈｙｓｉｃａｌ  ＲＢ）内で他のＲ−ＰＤＣＣＨ等とクロスインターリービング（ｃｒｏｓｓ−ｉｎｔｅｒｌｅａｖｉｎｇ）されずに、１つ以上のＰＲＢ上に伝送されることができる。若しくは、複数のＲ−ＰＤＣＣＨが１つ以上のＰＲＢ内でクロスインターリービングされ得る。
【００５９】
図１０は、ＲＢに割り当てられるＲ−ＰＤＣＣＨの一例を示す。
【００６０】
図１０に示すように、ＲＢ内の第１のスロットにはＤＬグラントのみが割り当てられ、第２のスロットにはＵＬグラントまたはＰＤＳＣＨが割り当てられ得る。このとき、制御領域、ＣＲＳ、及びＤＭＲＳがマッピングされた資源要素を除いた残りの資源要素にＲ−ＰＤＣＣＨが割り当てられ得る。Ｒ−ＰＤＣＣＨの復調にはＣＲＳ、ＤＭＲＳが全て使用され得る。Ｒ−ＰＤＣＣＨの復調にＤＭＲＳが使用される場合、アンテナポート７とスクランブルＩＤ（ＳＣＩＤ；ｓｃｒａｍｂｌｉｎｇ  ＩＤ）＝０が使用され得る。それに対し、Ｒ−ＰＤＣＣＨの復調にＣＲＳが使用される場合、ＰＢＣＨ伝送アンテナが１個である場合にのみアンテナポート０を使用し、ＰＢＣＨ伝送アンテナが２個または４個である場合には、伝送ダイバシティ（Ｔｘ  ｄｉｖｅｒｓｉｔｙ）モードに切り換えてアンテナポート０〜１または０〜３を全て使用することができる。
【００６１】
多重ノードシステムのために新しく定義されたｅ−ＰＤＣＣＨを割り当てることにおいて、図１０において説明された既存のＲ−ＰＤＣＣＨの構造を再使用することができる。すなわち、ＲＢ内の第１のスロットにはＤＬグラントのみが割り当てられ、第２のスロットにはＵＬグラントまたはＰＤＳＣＨが割り当てられ得る。また、制御領域、ＣＲＳ、及びＤＭＲＳがマッピングされた資源要素を除いた残りの資源要素にｅ−ＰＤＣＣＨが割り当てられ得る。既存の構造をそのまま使用することにより、既存の標準に大きな影響を及ぼさずに、ｅ−ＰＤＣＣＨを割り当てることができる。
【００６２】
図１１は、ＲＢに割り当てられるｅ−ＰＤＣＣＨの一例を示す。
【００６３】
図１１に示すように、ｅ−ＰＤＣＣＨがＲＢ内の第１のスロットと第２のスロットとに全て構成される場合を仮定する。第１のスロットに割り当てられたｅ−ＰＤＣＣＨにはＤＬグラントのみが割り当てられ、第２のスロットに割り当てられたｅ−ＰＤＣＣＨにはＵＬグラントが割り当てられ得る。ＤＬグラントは、端末に対する下向きリンク制御情報を伝送するＤＣＩフォーマット（ＤＣＩフォーマット１、１Ａ、１Ｂ、１Ｃ、１Ｄ、２、２Ａ等）を表し、ＵＬグラントは、端末に対する上向きリンク制御情報を伝送するＤＣＩフォーマット（ＤＣＩフォーマット０、４）を表す。ＲＢ内でスロット別に検出しなければならないＤＬグラントとＵＬグラントとが分けられているため、端末は、第１のスロットに探索領域を構成してＤＬグラントを検出するためのブラインドデコーディングを行い、また、第２のスロットに探索領域を構成してＵＬグラントを検出するためのブラインドデコーディングを行う。
【００６４】
一方、３ＧＰＰ  ＬＴＥでＤＬ伝送モード（１〜９）及びＵＬ伝送モード（１〜２）が存在する。ＤＬとＵＬに対して各々１つの伝送モードが上位階層シグナリングを介して端末別に割り当てられ得る。ＤＬ伝送モードでは、各伝送モード別に各端末が検出しなければならないＤＣＩフォーマットが２個ずつ存在する。これにより、端末がＤＬグラントを検出するために行うべきブラインドデコーディングの数は１６×２＝３２である。ＵＬ伝送モードでは、各伝送モード別に各端末が検出しなければならないＤＣＩフォーマットが１個または２個である。例えば、ＵＬ伝送モードが１である場合、端末はＤＣＩフォーマット０のみを検出し、ＵＬ伝送モードが２である場合、端末はＤＣＩフォーマット０及び４を検出する。したがって、端末がＵＬグラントを検出するために行うべきブラインドデコーディングの数は、ＵＬ伝送モードが１である場合、１６×１＝１６、ＵＬ伝送モードが２である場合、１６×２＝３２となる。
【００６５】
図１２は、ＲＢに割り当てられるｅ−ＰＤＣＣＨのさらに他の例を示す。
【００６６】
図１２に示すように、ｅ−ＰＤＣＣＨがＲＢ内の第１のスロットにのみ構成される場合を仮定する。すなわち、第１のスロットに割り当てられたｅ−ＰＤＣＣＨにＤＬグラントとＵＬグラントとが同時に割り当てられ得る。したがって、第１のスロットのｅ−ＰＤＣＣＨにはＤＬグラントとＵＬグラントとが同時に存在する。端末は、第１のスロットに探索領域を構成して、ＤＬグラント及びＵＬグラントを検出するためのブラインドデコーディングを行う。前述したように、ＤＬとＵＬに対して各々１つの伝送モードが上位階層シグナリングを介して端末別に割り当てられ得る。ＤＬ伝送モードでは、各伝送モード別に各端末が検出しなければならないＤＣＩフォーマットが２個ずつ存在し、全てのＤＬ伝送モードは、フォールバック（ｆａｌｌ−ｂａｃｋ）モード支援のためにＤＣＩフォーマット１Ａを基本的に含む。端末がＤＬグラントを検出するために行うべきブラインドデコーディングの数は１６×２＝３２である。ＵＬ伝送モードでは、各伝送モード別に各端末が検出しなければならないＤＣＩフォーマットが１個または２個である。ＵＬ伝送モードが１である場合、端末はＤＣＩフォーマット０のみを検出し、ＵＬ伝送モードが２である場合、端末はＤＣＩフォーマット０及び４を検出する。しかし、ＤＣＩフォーマット０はＤＣＩフォーマット１Ａと同じ長さを有し、１ビットのフラグ（ｆｌａｇ）を介して区分できるので、追加的なブラインドデコーディングが必要でない。したがって、端末がＵＬグラントを検出するために行うべきブラインドデコーディングの数は、ＵＬ伝送モードが１である場合に０、ＵＬ伝送モードが１である場合に１６×１＝１６になる。
【００６７】
図１３は、ＲＢに割り当てられるｅ−ＰＤＣＣＨのさらに他の例を示す。
【００６８】
図１３に示すように、各端末のｅ−ＰＤＣＣＨが時間領域または周波数領域で多重化される。すなわち、共通ＰＲＢ集合が設定された状態で各端末のｅ−ＰＤＣＣＨが時間領域または周波数領域にクロスインターリービング（ｃｒｏｓｓ−ｉｎｔｅｒｌｅａｖｉｎｇ）される。図１３（ａ）は、ｅ−ＰＤＣＣＨがＲＢの第１のスロット及び第２のスロットに割り当てられた場合であり、図１３（ｂ）は、ｅ−ＰＤＣＣＨがＲＢの第１のスロットにのみ割り当てられた場合である。図１３において各端末のｅ−ＰＤＣＣＨが複数個に分けられて分割されて割り当てられことが確認できる。これにより、時間領域または周波数領域でダイバシティ利得（ｄｉｖｅｒｓｉｔｙ  ｇａｉｎ）を得ることができる。
【００６９】
以下、本発明の一実施形態に係るｅ−ＰＤＣＣＨの構成方法を説明する。
【００７０】
まず、ｅ−ＰＤＣＣＨは複数のＰＲＢに割り当てられることができる。各ｅ−ＰＤＣＣＨは、複数のＰＲＢ内で局所的（ｌｏｃａｌｉｚｅｄ）に割り当てられることができる。すなわち、ｅ−ＰＤＣＣＨは、時間領域または周波数領域で物理的に隣接して割り当てられることができる。若しくは、各ｅ−ＰＤＣＣＨは、複数のＰＲＢ内で分散的（ｄｉｓｔｒｉｂｕｔｅｄ）に割り当てられることができる。すなわち、ｅ−ＰＤＣＣＨは、時間領域または周波数領域で物理的に分散されて割り当てられることができる。例えば、図１３において複数の端末に対するｅ−ＰＤＣＣＨ等が時間領域または周波数領域にクロスインターリービングされて分散的に割り当てられることができる。ｅ−ＰＤＣＣＨを分散的に割り当てることにより、周波数ダイバシティを得ることができる。
【００７１】
１つの端末のｅ−ＰＤＣＣＨが割り当てられ得る領域は、第１の領域と第２の領域のうち、いずれか１つであるか、第１の領域と第２の領域の全てでありうる。第１の領域と第２の領域は、下記に説明された基準によって区分されることができる。
【００７２】
１）最小集合レベルのｅ−ＰＤＣＣＨが１つのＰＲＢまたはＰＲＢ対から伝送される第１の領域及び最小集合レベルのｅ−ＰＤＣＣＨが複数のＰＲＢまたはＰＲＢ対から分割伝送される第２の領域：第１の領域は、前述したｅ−ＰＤＣＣＨが局所的に割り当てられた領域に対応し、第２の領域は、前述したｅ−ＰＤＣＣＨが分散的に割り当てられた領域に対応し得る。
【００７３】
２）ｅ−ＰＤＣＣＨ集合領域に与えられたＮ個のアンテナポートのうち、一部のアンテナポートのみで１つの端末に対するｅ−ＰＤＣＣＨが伝送される第１の領域及び与えられた全てのアンテナポートで１つの端末に対するｅ−ＰＤＣＣＨが伝送される第２の領域：ｅ−ＰＤＣＣＨ領域に与えられたアンテナポートは、ｅ−ＰＤＣＣＨのためのアンテナポートであるｅ−ＰＤＣＣＨポートでありうる。
【００７４】
３）ＣＬ（ｃｌｏｓｅｄ−ｌｏｏｐ）−ＭＩＭＯに対応する伝送モードの端末が探索する第１の領域及びＤＣＩフォーマット１Ａを検出するか、ＯＬ（ｏｐｅｎ−ｌｏｏｐ）−ＭＩＭＯに対応する伝送モードの端末が探索する第２の領域
４）ｅ−ＰＤＣＣＨが１つのレイヤに伝送される第１の領域及びｅ−ＰＤＣＣＨがＳＦＢＣ（ｓｐａｃｅ−ｆｒｅｑｕｅｎｃｙ  ｂｌｏｃｋ  ｃｏｄｉｎｇ）／ＳＴＢＣ（ｓｐａｃｅ−ｔｉｍｅ  ｂｌｏｃｋ  ｃｏｄｉｎｇ）に伝送される第２の領域
５）ビームフォーミングまたは適応的（ａｄａｐｔｉｖｅ）ビームフォーミングが適用される第１の領域及びＳＦＢＣ／ＳＴＢＣまたは非適応的（ｎｏｎ−ａｄａｐｔｉｖｅ）ビームフォーミングなどの伝送ダイバシティ（ＴｘＤ；ｔｒａｎｓｍｉｔ  ｄｉｖｅｒｓｉｔｙ）が適用される第２の領域
６）１つのＲＢまたはＲＢ対内にＣＣＥ／ｅ−ＣＣＥが構成またはマッピングされる第１の領域及びＣＣＥ／ｅ−ＣＣＥが複数のＲＢから分割されて構成またはマッピングされる第２の領域
７）ｅ−ＰＤＣＣＨの探索領域が連続するＲＢまたはＲＢ対で構成またはマッピングされる第１の領域及びｅ−ＰＤＣＣＨの探索領域が分散されるＲＢまたはＲＢ対で構成またはマッピングされる第２の領域
以上の基準によって１つの端末のｅ−ＰＤＣＣＨは第１の領域及び／又は第２の領域に割り当てられることができる。
【００７５】
また、複数のｅ−ＰＤＣＣＨが割り当てられる領域も物理的に１つであるか、２個以上でありうる。ｅ−ＰＤＣＣＨが割り当てられる領域が２個以上である場合、各領域に割り当てられるｅ−ＰＤＣＣＨは、同じ方式で構成されたり、互いに異なる方式で構成されることができる。
【００７６】
以下の説明において、１）の基準によって第１の領域と第２の領域とを区分することと仮定する。すなわち、第１の領域は、最小集合レベルのｅ−ＰＤＣＣＨが１つのＰＲＢまたはＰＲＢ対から伝送される領域であり、第２の領域は、最小集合レベルのｅ−ＰＤＣＣＨが複数のＰＲＢまたはＰＲＢ対から分割伝送される領域である。言い替えれば、第１の領域は、ｅ−ＰＤＣＣＨ等が局所的に割り当てられる領域であり、第２の領域は、ｅ−ＰＤＣＣＨ等が分散的に割り当てられる領域である。また、以下の説明において、ｅ−ＰＤＣＣＨ等が局所的に割り当てられる領域を非インターリービング領域とし、ｅ−ＰＤＣＣＨ等が分散的に割り当てられる領域をインターリービング領域として例示して説明するが、本発明の一実施形態に係るｅ−ＰＤＣＣＨの構成方法は、これに制限されない。
【００７７】
図１４は、本発明の一実施形態に係るｅ−ＰＤＣＣＨ構成方法の一例を示す。
【００７８】
図１４に示すように、ＰＤＳＣＨ領域にｅ−ＰＤＣＣＨが割り当てられる。このとき、ｅ−ＰＤＣＣＨは、インターリービング領域と非（ｎｏｎ）インターリービング領域とに分けて割り当てられることができる。図１４のように、ｅ−ＰＤＣＣＨがインターリービング領域と非インターリービング領域とに全て割り当てられる場合、インターリービング領域と非インターリービング領域とは共存できず、分離されて割り当てられることができる。
【００７９】
インターリービング領域は、各ｅ−ＰＤＣＣＨが分散されて割り当てられる領域を示す。すなわち、インターリービング領域自体は周波数領域で隣接するように構成されるが、インターリービング領域内で各ｅ−ＰＤＣＣＨが分散されて割り当てられる。インターリービング領域は、ｅ−ＰＤＣＣＨが分散的に割り当てられる領域の一例を示す。各ｅ−ＰＤＣＣＨは、複数のユニットで構成され、各ユニットは、ＲＢより小さい大きさを有することができる。１つのＲＢは、複数のｅ−ＰＤＣＣＨの１つ以上のユニットを含むことができ、またはｅ−ＰＤＣＣＨとＰＤＳＣＨとが共に含まれることもできる。例えば、複数のｅ−ＰＤＣＣＨが結合コーディング（ｊｏｉｎｔｌｙ  ｅｎｃｏｄｉｎｇ）されて割り当てられることができる。このとき、端末が自分に割り当てられたｅ−ＰＤＣＣＨに含まれたｅ−ＰＤＣＣＨポートのみを使用してｅ−ＰＤＣＣＨを復号するには、ｅ−ＰＤＣＣＨポートが占めるＲＥの個数が少ない場合がある。また、基地局の立場でｅ−ＰＤＣＣＨを構成するユニットの各々に個別的にｅ−ＰＤＣＣＨポートをシグナリングするには、オーバーヘッドが大きくなる場合がある。また、各端末に対するｅ−ＰＤＣＣＨを端末別に選好する周波数領域に設定することができないので、端末特定のビームフォーミング利得（ｂｅａｍｆｏｒｍｉｎｇ  ｇａｉｎ）を得るようにビームフォーミングベクトルを設定することも難しい。したがって、ｅ−ＰＤＣＣＨ領域の全体で使用されるｅ−ＰＤＣＣＨポート及び／又はプリコーディングベクトル値を１つまたはそれ以上に予め固定（ｐｒｅ−ｆｉｘ）するか、ＲＲＣシグナリングなどを介して端末に知らせることができる。ｅ−ＰＤＣＣＨ領域で使用されるｅ−ＰＤＣＣＨポート及び／又はプリコーディングベクトル値を認知できる端末は、自分に割り当てられるｅ−ＰＤＣＣＨがなくてもｅ−ＰＤＣＣＨ領域に割り当てられたｅ−ＰＤＣＣＨポートを用いてチャネル推定をすることができる。プリコーディングが行われなかった場合、プリコーディングベクトル値は認知する必要がない。
【００８０】
非インターリービング領域は、各ｅ−ＰＤＣＣＨが分散されずに局所的に割り当てられる領域を示す。非インターリービング領域は、ｅ−ＰＤＣＣＨが局所的に割り当てられる領域の一例を示す。各ｅ−ＰＤＣＣＨは互いに混ざらずに自分の領域を有し、自分のｅ−ＰＤＣＣＨポートで復号が可能である。
【００８１】
図１５は、本発明の一実施形態に係るｅ−ＰＤＣＣＨ構成方法のさらに他の例を示す。
【００８２】
図１５（ａ）は図１４と同様である。図１５（ｂ）は、インターリービング領域内で複数のｅ−ＰＤＣＣＨが構成される一例を示す。図１５（ｂ）は、１つのＲＢ内にｅ−ＰＤＣＣＨを割り当てる基本ユニットが周波数軸に沿って最大４個である場合を仮定する。１つのＲＢに第１の端末に対する第１のｅ−ＰＤＣＣＨ、第２の端末に対する第２のｅ−ＰＤＣＣＨ、及び第３の端末に対する第３のｅ−ＰＤＣＣＨが割り当てられ、各ｅ−ＰＤＣＣＨは、インターリービングによって各ＲＢに分散されて割り当てられる。また、特定ｅ−ＰＤＣＣＨは、複数の基本ユニットを連続して割り当てられることができる。図１５（ｂ）において第３の端末に対する第３のｅ−ＰＤＣＣＨは、２個の基本ユニットを割り当てられる。
【００８３】
図１５（ｃ）は、インターリービング領域内で複数のｅ−ＰＤＣＣＨが構成されるさらに他の例を示す。図１５（ｃ）は、１つのＲＢ内にｅ−ＰＤＣＣＨを割り当てる基本ユニットが時間軸及び周波数軸に沿って最大４個である場合を仮定する。１つのＲＢに第１の端末に対する第１のｅ−ＰＤＣＣＨ、第２の端末に対する第２のｅ−ＰＤＣＣＨ、第３の端末に対する第３のｅ−ＰＤＣＣＨ、及び第４の端末に対する第４のｅ−ＰＤＣＣＨが割り当てられ、各ｅ−ＰＤＣＣＨは、インターリービングによって各ＲＢに分散されて割り当てられる。図５（ｂ）において第３の端末に対する第３のｅ−ＰＤＣＣＨは、２個の基本ユニットを割り当てられる。各ＲＢに割り当てられるｅ−ＰＤＣＣＨの位置はＲＢによって変わることができる。
【００８４】
ｅ−ＰＤＣＣＨが局所的に割り当てられた場合、物理資源はｅ−ＲＥＧ（ｅｎｈａｎｃｅｄ  ＲＥＧ）単位で与えられることができる。１つのｅ−ＣＣＥ（ｅｎｈａｎｃｅｄ  ＣＣＥ）は１つのＰＲＢ対にマッピングされることができる。ｅ−ＰＤＣＣＨの伝送のために使用される単一アンテナポートがｅ−ＰＤＣＣＨ資源を定義するｅ−ＣＣＥインデックスに基づいて決定されることができる。ｅ−ＰＤＣＣＨが分散的に割り当てられた場合、物理資源はｅ−ＲＥＧ単位で与えられることができる。ｅ−ＲＥＧ内の各資源要素は、交互に２個のアンテナポートのうちの１つのアンテナポートと接続されることができる。
【００８５】
一方、ｅ−ＰＤＣＣＨは、コンテンツによって、設定される領域によって、または端末によって異なるように構成されることができる。例えば、基地局は、Ｒｅｌ−８端末またはＲｅｌ−１０端末などの既存端末にも同一に伝送される制御情報（例えば、ページング、ランダムアクセス（ＲＡ；ｒａｎｄｏｍ  ａｃｃｅｓｓ）、システム情報（ＳＩ；ｓｙｓｔｅｍ  ｉｎｆｏｒｍａｔｉｏｎ））は、既存の方式どおりにＰＤＣＣＨを介して伝送し、Ｒｅｌ−１１端末等にのみ共通的に（ｃｏｍｍｏｎ）伝送される制御情報（例えば、伝送パワー制御（ＴＰＣ；ｔｒａｎｓｍｉｔ  ｐｏｗｅｒ  ｃｏｎｔｒｏｌ）命令）は、インターリービング領域に割り当てられるｅ−ＰＤＣＣＨのＣＳＳを介して伝送することができる。Ｒｅｌ−１１端末は、ＰＤＣＣＨ及びｅ−ＰＤＣＣＨを各々検出して自分に伝送される制御情報を読み出すことができる。または、基地局は、既存端末等にも同一に伝送される制御情報及びＲｅｌ−１１端末等にのみ共通的に伝送される制御情報を全てインターリービング領域に割り当てられるｅ−ＰＤＣＣＨのＣＳＳを介して伝送することができる。Ｒｅｌ−１１端末は、ＣＳＳでｅ−ＰＤＣＣＨを検出して自分に伝送される制御情報を読み出すことができる。
【００８６】
または、Ｒｅｌ−１１端末等のための端末特定制御情報は、端末の速度やその他の状況に応じてインターリービング領域または非インターリービング領域に割り当てられたｅ−ＰＤＣＣＨを介して伝送されることができる。例えば、インターリービング領域には、高速の端末、経路損失（ｐａｔｈｌｏｓｓ）が小さい端末、またはチャネル状況が良くない端末等に対するｅ−ＰＤＣＣＨを割り当てることができ、非インターリービング領域には、低速の端末、経路損失（ｐａｔｈｌｏｓｓ）が大きい端末、またはチャネル状況が良い端末等に対するｅ−ＰＤＣＣＨを割り当てることができる。端末の速度、経路損失、チャネル状況などの値は、ＲＲＣ（ｒａｄｉｏ  ｒｅｓｏｕｒｃｅ  ｃｏｎｔｒｏｌ）などの上位階層に伝送されることができ、端末が決められたあるしきい値（ｔｈｒｅｓｈｏｌｄ）と比較して判断することもできる。若しくは、基地局は、ＲＲＣメッセージなどの上位階層メッセージを介して端末が読み出さなければならない領域を直接知らせることもできる。
【００８７】
以下、コンテンツによってｅ−ＰＤＣＣＨ構成が変わる具体的な実施形態を説明する。
【００８８】
例えば、Ｒｅｌ−１１端末等に共通的に伝送される制御情報はＲＮＴＩによって区別され得る。すなわち、共通ＲＮＴＩを有した制御情報は、インターリービング領域に割り当てられるｅ−ＰＤＣＣＨのＣＳＳを介して伝送されることができる。このとき、Ｒｅｌ−１１端末等は、既存端末等と同じ制御情報をＰＤＣＣＨを介して受信することができる。共通ＲＮＴＩは、ＳＩ−ＲＮＴＩ、Ｐ−ＲＮＴＩ、ＲＡ−ＲＮＴＩ、臨時Ｃ−ＲＮＴＩ、ＴＰＣ−ＲＮＴＩ、ＳＰＳ（ｓｅｍｉ−ｐｅｒｓｉｓｔｅｎｔ  ｓｃｈｅｄｕｌｉｎｇ）−ＲＮＴＩ、またはＣ−ＲＮＴＩなどを含むことができる。ＲＡ−ＲＮＴＩは、ランダムアクセス応答（ｒａｎｄｏｍ  ａｃｃｅｓｓ  ｒｅｓｐｏｎｓｅ）メッセージが伝送されるとき、ＰＤＣＣＨ上で使用されることができる。ＲＡ−ＲＮＴＩは、端末がランダムアクセスプリアンブル（ｒａｎｄｏｍ  ａｃｃｅｓｓ  ｐｒｅａｍｂｌｅ）を伝送するとき、どのような時間−周波数資源を使用したかを識別することができる。臨時Ｃ−ＲＮＴＩは、ランダムアクセスのうち、端末によって使用される臨時識別子である。臨時Ｃ−ＲＮＴＩの大きさは１６ビットでありうる。端末特定ＲＮＴＩはＣ−ＲＮＴＩまたはＳＰＳ−ＲＮＴＩを含むことができる。
【００８９】
または、Ｒｅｌ−１１端末は、インターリービング領域ではＤＣＩフォーマット１Ａのみ検出し、非インターリービング領域で残りのＤＣＩフォーマットを検出するようにｅ−ＰＤＣＣＨを構成することができる。例えば、伝送モード９で使用するＤＣＩフォーマットがある場合、インターリービング領域に割り当てられたｅ−ＰＤＣＣＨを介してＤＣＩフォーマット１Ａを、非インターリービング領域に割り当てられたｅ−ＰＤＣＣＨを介してＤＣＩフォーマット２Ｃを伝送すれば、端末は各領域でのブラインドデコーディング回数を減らすことができる。このとき、ＤＣＩフォーマット３、３ＡなどのＣＳＳで検出しなければならないＤＣＩフォーマットもインターリービング領域に割り当てられたｅ−ＰＤＣＣＨを介して伝送されることができる。表２は、ＤＣＩフォーマット１Ａ及びＤＣＩフォーマット２Ｃに対応する探索領域及び伝送方式（ｔｒａｎｓｍｉｓｓｉｏｎ  ｓｃｈｅｍｅ）の一例を示す。
【００９０】
【表２】
0005905590.tif 000006
または、ＭＵ−ＭＩＭＯを支援するｅ−ＰＤＣＣＨは、非インターリービング領域に割り当てることができる。
【００９１】
または、Ｒｅｌ−１１端末等に共通的に伝送される制御情報は、インターリービング領域及び非インターリービング領域の両方に割り当てられたｅ−ＰＤＣＣＨを介して伝送されることができる。このとき、、Ｒｅｌ−１１端末は、自分に対する制御情報が含まれた領域を決定し、当該領域のみを復号することにより、共通制御情報及び端末特定制御情報を全て受信することができる。Ｒｅｌ−１１端末は、基地局のシグナリングを介して、またはチャネル状態などを特定しきい値と比較して特定領域を選択する方式で自分の制御情報が含まれた領域を決定することができる。または、以前に受信された領域がそのまま自分の制御情報が含まれた領域になることもできる。すなわち、Ｒｅｌ−１１端末は、以前に受信した最も最新のＰＤＳＣＨ等が局所的に割り当てられた場合に非インターリービング領域を、分散的に割り当てられた場合にインターリービング領域を介して伝送される制御情報を読み出すことができる。このように、Ｒｅｌ−１１端末は、自分に対する制御情報が含まれた領域のみを復号することによりオーバーヘッドを減らすことができる。
【００９２】
または、基地局は、インターリービング領域に割り当てられたｅ−ＰＤＣＣＨを介して集合レベルが高い制御情報を伝送し、非インターリービング領域に割り当てられたｅ−ＰＤＣＣＨを介して集合レベルが低い制御情報を伝送することができる。例えば、インターリービング領域に割り当てられるｅ−ＰＤＣＣＨは、集合レベル４または８のみで構成され、非インターリービング領域に割り当てられるｅ−ＰＤＣＣＨは、集合レベル１または２のみで構成されることができる。
【００９３】
表３は、ｅ−ＰＤＣＣＨフォーマット及び資源割当によるｅ−ＣＣＥの個数を示す。各ｅ−ＣＣＥは、複数のｅ−ＲＥＧを含むことができる。
【００９４】
【表３】
0005905590.tif 000007
表３に示すように、ｅ−ＰＤＣＣＨフォーマット４が局所的に割り当てられる場合には定義されないが、分散的に割り当てられる場合、３２個または１６個のｅ−ＣＣＥによって定義され得る。すなわち、集合レベルの高いｅ−ＰＤＣＣＨは、ｅ−ＰＤＣＣＨが分散的に割り当てられる領域のみで定義されることができる。
【００９５】
図１６は、本発明の一実施形態に係るｅ−ＰＤＣＣＨの割当方法の一例を示す。
【００９６】
ステップＳ２００において基地局は、ｅ−ＰＤＣＣＨをＰＤＳＣＨ領域内の局所領域に割り当て、ステップＳ２１０において基地局は、ｅ−ＰＤＣＣＨをＰＤＳＣＨ領域内の分散領域に割り当てる。ｅ−ＰＤＣＣＨは、前述したような方式によって構成されることができる。ステップＳ２２０において基地局は、割り当てられたｅ−ＰＤＣＣＨを介してスケジューリング割当を伝送する。
【００９７】
図１７は、本発明の実施形態が実現される無線通信システムのブロック図である。
【００９８】
基地局８００は、プロセッサ（８１０；ｐｒｏｃｅｓｓｏｒ）、メモリ（８２０；ｍｅｍｏｒｙ）、及びＲＦ部（８３０；ｒａｄｉｏ  ｆｒｅｑｕｅｎｃｙ  ｕｎｉｔ）を備える。プロセッサ８１０は、提案された機能、過程及び／又は方法を実現する。無線インターフェースプロトコルの階層は、プロセッサ８１０により実現されることができる。メモリ８２０は、プロセッサ８１０と接続されて、プロセッサ８１０を駆動するための様々な情報を格納する。ＲＦ部８３０は、プロセッサ８１０と接続されて、無線信号を伝送及び／又は受信する。
【００９９】
端末９００は、プロセッサ９１０、メモリ９２０、及びＲＦ部９３０を備える。プロセッサ９１０は、提案された機能、過程及び／又は方法を実現する。無線インターフェースプロトコルの階層は、プロセッサ９１０により実現されることができる。メモリ９２０は、プロセッサ９１０と接続されて、プロセッサ９１０を駆動するための様々な情報を格納する。ＲＦ部９３０は、プロセッサ９１０と接続されて、無線信号を伝送及び／又は受信する。
【０１００】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を備えることができる。ＲＦ部８３０、９３０は、無線信号を処理するためのベースバンド回路を備えることができる。実施形態がソフトウェアで実現されるとき、上述した技法は、上述した機能を果たすモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知らされた様々な手段でプロセッサ８１０、９１０と接続されることができる。
【０１０１】
上述した例示的なシステムにおいて方法等は、一連のステップまたはブロックにより、順序図に基づいて説明されているが、本発明は、ステップ等の順序に限定されるものではなく、あるステップは上述したところと異なるステップと異なる順序で、または同時に発生することができる。また、当業者であれば、順序図に示したステップ等が排他的でなく、他のステップが含まれたり、順序図の１つまたはそれ以上のステップが本発明の範囲に影響を及ぼさずに削除されることができることが理解できるであろう。
【０１０２】
本願発明は、例えば以下の項目を提供する。
（項目１）
無線通信システムにおける制御チャネルを割り当てる方法であって、
ＰＤＳＣＨ（ｐｈｙｓｉｃａｌ  ｄｏｗｎｌｉｎｋ  ｓｈａｒｅｄ  ｃｈａｎｎｅｌ）領域内の局所領域（ｌｏｃａｌｉｚｅｄ  ｒｅｇｉｏｎ）にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、
前記ＰＤＳＣＨ領域内の分散領域（ｄｉｓｔｒｉｂｕｔｅｄ  ｒｅｇｉｏｎ）に前記ｅ−ＰＤＣＣＨを割り当て、
前記割り当てられたｅ−ＰＤＣＣＨを介してスケジューリング割当（ｓｃｈｅｄｕｌｉｎｇ  ａｓｓｉｇｎｍｅｎｔ）を伝送することを含むことを特徴とする方法。
（項目２）
前記局所領域は、１つの端末のｅ−ＰＤＣＣＨが局所的に割り当てられる領域であり、
前記分散領域は、１つの端末のｅ−ＰＤＣＣＨが分散的に割り当てられる領域であることを特徴とする項目１に記載の方法。
（項目３）
前記局所領域は、最小集合レベル（ａｇｇｒｅｇａｔｉｏｎ  ｌｅｖｅｌ）のｅ−ＰＤＣＣＨが１つの物理資源ブロック（ＰＲＢ；ｐｈｙｓｉｃａｌ  ｒｅｓｏｕｒｃｅ  ｂｌｏｃｋ）またはＰＲＢ対から伝送される領域であり、
前記分散領域は、最小集合レベルのｅ−ＰＤＣＣＨが複数のＰＲＢまたはＰＲＢ対から分散されて伝送される領域であることを特徴とする項目１に記載の方法。
（項目４）
前記局所領域は、ｅ−ＰＤＣＣＨ集合領域に与えられたＮ個のｅ−ＰＤＣＣＨアンテナポートのうち、一部のｅ−ＰＤＣＣＨアンテナポートを使用する領域であり、
前記分散領域は、前記与えられたＮ個のｅ−ＰＤＣＣＨアンテナポートを全て使用する領域であることを特徴とする項目１に記載の方法。
（項目５）
前記局所領域は、ＣＣＥ（ｃｏｎｔｒｏｌ  ｃｈａｎｎｅｌ  ｅｌｅｍｅｎｔ）／ｅ−ＣＣＥ（ｅｎｈａｎｃｅｄ  ＣＣＥ）が１つのＲＢまたはＲＢ対内に構成またはマッピングされる領域であり、
前記分散領域は、ＣＣＥ／ｅ−ＣＣＥが複数のＲＢから分割されて構成またはマッピングされる領域であることを特徴とする項目１に記載の方法。
（項目６）
前記局所領域は、前記ｅ−ＰＤＣＣＨの探索領域（ｓｅａｒｃｈ  ｓｐａｃｅ）が連続するＲＢまたはＲＢ対から構成またはマッピングされる領域であり、
前記分散領域は、前記ｅ−ＰＤＣＣＨの探索領域が分散されるＲＢまたはＲＢ対から構成またはマッピングされる領域であることを特徴とする項目１に記載の方法。
（項目７）
前記局所領域は、複数の端末のｅ−ＰＤＣＣＨ等がインターリービングされずに割り当てられる領域であり、
前記分散領域は、複数の端末のｅ−ＰＤＣＣＨ等がインターリービングされて割り当てられる領域であることを特徴とする項目１に記載の方法。
（項目８）
前記各端末のｅ−ＰＤＣＣＨは、前記分散領域内で複数のユニット（ｕｎｉｔ）で構成されることを特徴とする項目７に記載の方法。
（項目９）
前記各ユニットは、１つのＰＲＢ内で周波数領域に沿って構成されるか、時間領域及び周波数領域に沿って構成されることを特徴とする項目８に記載の方法。
（項目１０）
前記局所領域に割り当てられるｅ−ＰＤＣＣＨの集合レベル（ａｇｇｒｅｇａｔｉｏｎ）より前記分散領域に割り当てられるｅ−ＰＤＣＣＨの集合レベルが高いことを特徴とする項目１に記載の方法。
（項目１１）
前記スケジューリング割当は、前記分散領域に割り当てられたｅ−ＰＤＣＣＨの共通探索領域（ＣＳＳ；ｃｏｍｍｏｎ  ｓｅａｒｃｈ  ｓｐａｃｅ）を介して伝送されることを特徴とする項目１に記載の方法。
（項目１２）
前記スケジューリング割当は、共通ＲＮＴＩ（ｒａｄｉｏ  ｎｅｔｗｏｒｋｔｅｍｐｏｒａｒｙ  ｉｄｅｎｔｉｔｙ）を備えることを特徴とする項目１１に記載の方法。
（項目１３）
前記分散領域に割り当てられたｅ−ＰＤＣＣＨを介して伝送される前記スケジューリング割当は、ＤＣＩ（ｄｏｗｎｌｉｎｋ  ｃｏｎｔｒｏｌ  ｉｎｆｏｒｍａｔｉｏｎ）フォーマット１Ａであることを特徴とする項目１１に記載の方法。
（項目１４）
無線通信システムにおける制御チャネルを割り当てる基地局であって、
無線信号を伝送または受信するＲＦ（ｒａｄｉｏ  ｆｒｅｑｕｅｎｃｙ）部と、
前記ＲＦ部と接続されるプロセッサと、
を備え、
前記プロセッサは、
ＰＤＳＣＨ（ｐｈｙｓｉｃａｌ  ｄｏｗｎｌｉｎｋ  ｓｈａｒｅｄ  ｃｈａｎｎｅｌ）領域内の局所領域（ｌｏｃａｌｉｚｅｄ  ｒｅｇｉｏｎ）にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、
前記ＰＤＳＣＨ領域内の分散領域（ｄｉｓｔｒｉｂｕｔｅｄ  ｒｅｇｉｏｎ）に前記ｅ−ＰＤＣＣＨを割り当て、
前記割り当てられたｅ−ＰＤＣＣＨを介してスケジューリング割当（ｓｃｈｅｄｕｌｉｎｇ  ａｓｓｉｇｎｍｅｎｔ）を伝送するように構成されることを特徴とする基地局。
（項目１５）
前記局所領域は、１つの端末のｅ−ＰＤＣＣＨが局所的に割り当てられる領域であり、
前記分散領域は、１つの端末のｅ−ＰＤＣＣＨが分散的に割り当てられる領域であることを特徴とする項目１４に記載の基地局。
【図１】
0005905590.tif 000008
【図２】
0005905590.tif 000009
【図３】
0005905590.tif 000010
【図４】
0005905590.tif 000011
【図５】
0005905590.tif 000012
【図６】
0005905590.tif 000013
【図７】
0005905590.tif 000014
【図８】
0005905590.tif 000015
【図９】
0005905590.tif 000016
【図１０】
0005905590.tif 000017
【図１１】
0005905590.tif 000018
【図１２】
0005905590.tif 000019
【図１３】
0005905590.tif 000020
【図１４】
0005905590.tif 000021
【図１５】
0005905590.tif 000022
【図１６】
0005905590.tif 000023
【図１７】
0005905590.tif 000024